(57)【特許請求の範囲】
【請求項１】
枠体にパネル体を固定して成り、前記枠体における縦部材の所定箇所にはパネル面に直交する方向にボルト挿通穴が形成されており、前記パネル体には前記ボルト挿通穴に対応する箇所にボルト頭部又はナットの収容用の穴が形成されている間仕切りパネルを用い、
二枚の間仕切りパネルが互いの枠体側を向かい合わせ、前記ボルト貫通穴に挿通させたボルトを用いて間仕切りパネルが連結される家屋の内装部材配置システムであって、
室内の床部分に所定間隔で予め支柱部材下側受け部が複数設けられており、前記支柱部材下側受け部に対応して天井部分には支柱部材上側受け部が複数設けられており、任意の支柱部材下側受け部及び支柱部材上側受け部を利用して支柱部材を配置し、この支柱部材の側面から突出して設けられた連結部材を前記枠体の縦部材にて挟み込むようにして二枚の間仕切りパネルを配置し、前記連結部材に形成された貫通穴にも前記ボルトを挿通させることで、間仕切りパネルを前記連結部材に固定したことを特徴とする家屋の内装部材配置システム。
【請求項２】
請求項１に記載の家屋の内装部材配置システムにおいて、前記支柱部材は、その上端面に角凸部を有し、下端面に突っ張り用ねじ機構を有しており、前記支柱部材上側受け部は前記角凸部に対応した角穴部を有し、前記支柱部材下側受け部は前記ねじ機構に対応した受け部を有していることを特徴とする家屋の内装部材配置システム。
【発明の詳細な説明】
【０００１】
【産業上の利用分野】
この発明は、家屋の内装部材配置システムに関する。
【０００２】
【従来の技術】
建物における室内の間仕切り壁は、一般に、木桟パネルを配置し、この木桟パネルに石膏ボードをビス等によって固定し、この石膏ボード上に壁紙（クロス）を貼り付けることで仕上げを行っている。この仕上げは、具体的には、石膏ボードのビス穴や継ぎ目部の凹凸をパテ処理によって平滑にして養生した後（パテを乾燥させた後）、壁紙の裏面に糊付けを行い、前記養生を行った石膏ボードに貼り付けていく作業となる。
【０００３】
【発明が解決しようとする課題】
しかしながら、上記従来の間仕切り壁では、石膏ボードがビス等によって木桟パネルに固定されているため、リフォームを行なうときに、石膏ボードや木桟パネル等が廃材になってしまう。
【０００４】
この発明は、上記の事情に鑑み、リフォーム等を行なうときにおいて、内装部材が廃材となってしまうのを極力回避することができる家屋の内装部材配置システムを提供することを目的とする。
【０００５】
【課題を解決するための手段】
この発明の家屋の内装部材配置システムは、上記の課題を解決するために、室内の床部分に所定間隔で予め支柱部材下側受け部が複数設けられており、前記支柱部材下側受け部に対応して天井部分には支柱部材上側受け部が複数設けられており、任意の支柱部材下側受け部及び支柱部材上側受け部を利用して支柱部材を配置し、この支柱部材に間仕切りパネルを固定するように構成されたことを特徴とする。
【０００６】
上記構成であれば、部屋の間取りを変更するような場合において、不要となる壁部分については、その部分の間仕切りパネル及び支柱部材を取り外し、新設する壁部分において、その箇所の支柱部材下側受け部及び支柱部材上側受け部を利用して支柱部材を配置し、この支柱部材に間仕切りパネルを固定すればよいことになる。
【０００７】
前記支柱部材は、その上端面に角凸部を有し、下端面に突っ張り用ねじ機構を有しており、前記支柱部材上側受け部は前記角凸部に対応した角穴部を有し、前記支柱部材下側受け部は前記ねじ機構に対応した受け部を有していてもよい。これによれば、支柱部材は突っ張り力によって固定されることになり、また、角凸部と角穴部との係合によって支柱部材の回りを防止することができる。
【０００８】
前記間仕切りパネルは前記支柱部材にボルトを用いて固定されるように構成されているのがよい。これによれば、リフォーム時における間仕切りパネルの取り外し及び取り付けが容易になる。
【０００９】
壁紙が二以上の間仕切りパネルに跨がることのないように装着されるのが望ましい。これによれば、間仕切りパネルの取り外しや位置替えにおいて壁紙が廃材となってしまうのを防止することができる。
【００１０】
【発明の実施の形態】
以下、この発明の実施形態の家屋の内装部材配置システムを図１乃至図４に基づいて説明する。
【００１１】
図１に示すように、Ｈ型鋼から成る梁１上に床パネル２…が配置されている。各床パネル２は例えば基準値Ｐ＝９１０ｍｍとすると、２Ｐ×２Ｐ角の大きさに設定されている。そして、床パネル２の角部及び辺部の中央に対応させてスタッド下側受け具３が予め設けられている。スタッド下側受け具３…の配置間隔は、１Ｐ間隔となる。床パネル２の四隅に切欠きを形成しておけば、床パネル２の角の突き合わせ箇所に凹部が形成され、この凹部にスタッド下側受け具３を配置しておくことができる。なお、床パネル２上には仕上げフロアー材４が置かれるのであるが、前記スタッド下側受け具３…に対応する箇所では、穴部を形成しておくと共にこの穴部を塞ぐ蓋状体を装着できるようにし、使用しないスタッド下側受け部材３…上を覆うようにすることができる。
【００１２】
スタッド（支柱部材）５の下端部と前記スタッド下側受け具３との係合状態を示すと、図２（ｂ）に示すごとくなる。また、天井側には、前記スタッド下側受け具３…の配置に対応して、図２（ａ）に示すように、スタッド上側受け具６が設けられており、任意のスタッド下側受け具３及びスタッド上側受け具６を利用してスタッド５を配置することができる。
【００１３】
前記スタッド５は、上下端が閉鎖された鋼製の角筒材から成り、その上端面に角凸部５ａを有し、下端面に突っ張り用ねじ機構５ｂを有している。そして、前記スタッド上側受け具６は前記角凸部５ａに対応した角穴部６ａを有し、前記スタッド下側受け具３は前記ねじ機構５ｂにおけるボルト５１の先端が挿通される穴部３ａを有している。
【００１４】
突っ張り用ねじ機構５ｂについて説明する。スタッド５の下端閉鎖板５２と増肉板５３とナット５４とは溶接等によって互いに固定されている。ボルト５１はその頭部をスタッド５内に位置させ、ねじ部をスタッド５の下方向へ突出させている。ボルト５１のねじ部に螺合させてあるナット５５は当該ねじ部に溶接等によって固定されている。前記ナット５５はスタッド下側受け具３の上面によって受け止められる。ナット５５にスパナ等を装着して時計回りに回すと、ボルト５１におけるねじ部の突出長さが長くなり、天井−床間でスタッド５の突っ張り状態が得られることになる。なお、突っ張り用ねじ機構５ｂにおいて、いわゆる早回しボルトを用いることで、スタッド５の取付作業の時短が図れる。
【００１５】
図３（ａ）は、スタッド５に間仕切りパネル７を装着した状態を示した断面図である。間仕切りパネル７は、軽角形鋼から成る枠部７ａの一方の面に石膏ボード７ｂを接合したものである。また、石膏ボード７ｂの縁には金属製の縁取り枠７ｃが固定されている。スタッド５にはパネル受け具８が装着される。２枚の間仕切りパネル７はその枠部７ａ側を互いに向け合って（内側にして）配置され、前記パネル受け具８における突出部８ｂを挟み込む。そして、このパネル受け具８及び枠部７ａ及び石膏ボード７ｂを貫通してボルト９が設けられる。前記ボルト９にその両側からナット１０・１０が装着されることによって、２枚の間仕切りパネル７はスタッド５に連結・固定されることになる。
【００１６】
前記パネル受け具８は、図３（ｂ）に示すように、略Ｔ字形状を成す。フランジ部８ａはスタッド５の側面に当接する部分であり、このフランジ部８ａの上部と下部にはボルト挿通穴８ｃが形成されている。また、突出部８ｂには、前記ボルト９が挿通されるボルト挿通穴８ｄが形成されている。
【００１７】
ボルト挿通穴８ｃ・８ｃには、フランジ部８ａを挟み込むようにボルト１１とナット１２とを装着させておく。スタッド５の上部と中央部と下部には、図４に示すように、２つの係合穴５ｃを上下に並べて形成した係合穴対が形成されている。２つの係合穴５ｃの間隔はボルト挿通穴８ｃ・８ｃの間隔に対応する。係合穴５ｃは上部大径穴部と下部小幅穴部とが連結されてなる。上部大径穴部は前記ナット１２を挿通させる大きさを有し、下部小幅穴部はボルト１１のねじ部より幾分広い幅を有する。ナット１２を上部大径穴部から通してスタッド５内に位置させた後に下方にずらしてボルト１１のねじ部を下部小幅穴部に位置させる。この状態でボルト１１をインパクトレンチ等で締め込むことで、パネル受け具８がスタッド５に固定されることになる。
【００１８】
間仕切りパネル７の表面に壁紙を直貼りしてもよいが、この実施形態では、縁取り枠７ｃに面ファスナーの雄側シートを貼付し、裏面に面ファスナーの雌側が形成された壁紙（間仕切りパネル７の大きさに対応するようにロールものから切り出す）を貼り付けることとしている。この実施形態では、壁紙は二以上の間仕切りパネル７・７に跨がることのないように装着しているが、跨がるように貼り付けることを排除するものではない。また、壁紙の裏面に着磁層を形成し、鉄製とした縁取り枠７ｃに磁力にて装着するようにしてもよい。
【００１９】
また、間仕切りパネル７の下辺と仕上げフロアー材４との間には、図示しない巾木を装着する。この巾木についても接着剤等で固定するのではなく、ねじ等で間仕切りパネル７やスタッド５に装着する。
【００２０】
以上説明したように、かかる内装部材配置システムでは、室内の床部分に所定間隔で予めスタッド下側受け具３が複数設けられ、前記スタッド下側受け具３に対応して天井部分にはスタッド上側受け具６が複数設けられ、任意のスタッド下側受け具３及びスタッド上側受け具６を利用してスタッド５を配置し、このスタッド５に間仕切りパネル７を固定するから、部屋の間取りの変更等において、不要となる壁部分については、その部分の間仕切りパネル７及びスタッド５を取り外し、新設する壁部分において、その箇所のスタッド下側受け具３及びスタッド上側受け具６を利用してスタッド５を配置し、このスタッド５に間仕切りパネル７を固定すればよいことになる。
【００２１】
そして、前記スタッド５は、その上端面に角凸部５ａを有し、下端面に突っ張り用ねじ機構５ｂを有しており、前記スタッド上側受け具６は前記角凸部５ａに対応した角穴部６ａを有し、前記スタッド下側受け具３はボルト５１に対応した穴部３ａを有するので、スタッド５は突っ張り力によって天井−床間でしっかりと固定されることになり、また、角凸部５ａと角穴部６ａとの係合によってスタッド５の回りを防止することができる。
【００２２】
また、間仕切りパネル７は前記スタッド５にボルト接続されるように構成されているので、リフォーム時における間仕切りパネル７の取り外し及び取り付けが容易になる。また、壁紙が二以上の間仕切りパネル７に跨がることのないように装着されるので、間仕切りパネル７の取り外しや位置替えにおいて壁紙が廃材となってしまうのを防止することができる。
【００２３】
【発明の効果】
以上説明したように、この発明によれば、内装部材の配置替えなどを行なうときにおいて、その作業が容易であると共に内装部材が産業廃棄物となってしまうのを極力回避できるという効果を奏する。
【図面の簡単な説明】
【図１】この発明の実施形態における家屋の内装部材配置システムを示した斜視図である。
【図２】同図（ａ）はスタッドの上端部及び受け具を示した斜視図であり、同図（ｂ）はスタッドの下端部及び受け具を示した断面図である。
【図３】同図（ａ）はスタッドと間仕切りパネルとの連結構造を示した断面図であり、同図（ｂ）は間仕切りパネルを留めるための受け具を示した斜視図である。
【図４】スタッドと間仕切りパネルとの連結構造を示した斜視図である。
【符号の説明】
１      梁
２      床パネル
３      スタッド下側下側受け具
５      スタッド
６      スタッド上側受け具
７      間仕切りパネル
【図１】
0003971616.tif 000002
【図２】
0003971616.tif 000003
【図３】
0003971616.tif 000004
【図４】
0003971616.tif 000005